(57)【要約】【課題】ペン式注射器本体の先端部に、保護カバーで外側を覆われた針ユニットを着脱する際に用いる注射針着脱治具において、ペン式注射器本体の先端部への針ユニットの着脱作業を容易にする。【解決手段】ペン式注射器本体の先端部に、保護カバーで外側を覆われた針ユニットを着脱する際に用いる注射針着脱治具１であって、ペン式注射器本体がその先端部を突出させるようにして挿入される有底筒状の治具本体２と、この治具本体２の内側に該治具本体２と同軸かつ軸方向に摺動可能に設けられ、軸方向に摺動することによって治具本体２より先端側に所定長さ突出可能なガイド筒５と、を有し、ガイド筒５の先端部の内周面は保護カバーが摺動可能となるように形成し、ガイド筒５の先端部を、該ガイド筒５を治具本体２より先端側に所定長さ突出させた状態において、治具本体２に挿入された前記ペン式注射器本体１２の先端部を覆うようにする。【選択図】図１
2007111301.tif 000002
【特許請求の範囲】
【請求項１】
ペン式注射器本体の先端部に、保護カバーで外側を覆われた針ユニットを着脱する際に用いる注射針着脱治具であって、
前記ペン式注射器本体がその先端部を突出させるようにして挿入される有底筒状の治具本体と、
この治具本体の内側に該治具本体と同軸かつ軸方向に摺動可能に設けられ、軸方向に摺動することによって前記治具本体より先端側に所定長さ突出可能なガイド筒と、を有し、
前記ガイド筒の先端部の内周面は前記保護カバーが摺動可能となるように形成されており、
前記ガイド筒の先端部は、該ガイド筒を前記治具本体より先端側に所定長さ突出させた状態において、前記治具本体に挿入された前記ペン式注射器本体の先端部を覆っていることを特徴とする注射針着脱治具。
【請求項２】
前記ガイド筒の先端部には、このガイド筒の先端部に覆われた前記ペン式注射器本体の先端部を目視可能とする窓が形成されていることを特徴とする請求項１に記載の注射針着脱治具。
【発明の詳細な説明】
【技術分野】
【０００１】
本発明は、ペン式注射器本体の先端部に、保護カバーで外側を覆われた針ユニットを着脱する際に用いる注射針着脱治具に関する。
【背景技術】
【０００２】
従来、患者自身がインシュリン注射を行うための注射器として、ペン式注射器が知られている（例えば、特許文献１参照）。このペン式注射器は、インシュリン注射液の入ったカートリッジをペン式注射器本体に装填し、このペン式注射器本体の先端部に、針ユニットを取り付けて用いるものである。この針ユニットは、スリーブに固定された両刀針を備え、スリーブをペン式注射器本体の先端部に取り付けることによって、両刀針の基端側をペン式注射器本体内のカートリッジ内へと到達させるようになっている。また、針ユニットのペン式注射器本体への取付方法としては、ペン式注射器本体の先端部周面に設けられた凹部（リセス）に、針ユニットのスリーブの内周面に設けられた凸部（内部突起）を嵌め込むようになっている。これに対し、針ユニットの着脱をより容易かつ確実にするために、図６に示すように、ペン式注射器本体１２の先端部周面に設けられた雄ネジに、針ユニット１３のスリーブ１３ｂの内周面に設けられた雌ネジを螺合する方法が知られている。
【０００３】
ところで、一般に、カートリッジ内のインシュリン注射液は所定量ずつ複数回の注射に分けて用いるが、両刀針１３ａを備える針ユニット１３は感染防止等のため毎回新しいものに交換する必要がある。この針ユニット１３をペン式注射器本体１２に取り付ける際には、まずペン式注射器本体１２の先端を消毒した後、片手にペン式注射器本体１２を持ち、もう一方の手に保護カバー１５で外側を覆われた針ユニット１３を持ち、針ユニット１３をペン式注射器本体１２の先端部に固定し、針ユニット１３のスリーブ１３ｂに設けられた雌ネジをペン式注射器本体１２の先端部周面に設けられた雄ネジに螺合する。
また、注射後に針ユニット１３を取り外す際には、剥き出しの状態の両刀針１３ａを備える針ユニット１３に保護カバー１５を装着し、針ユニット１３を取り付け時とは逆方向に回し、針ユニット１３を取り外す。
【特許文献１】特表平９−５０９０８７号公報
【発明の開示】
【発明が解決しようとする課題】
【０００４】
しかしながら、視力が弱っている人や高年齢の人がペン式注射器１１を使用すると、針ユニット１３を取り付ける際に、針ユニット１３をペン式注射器本体１２の先端部に固定させるという細かい作業が困難であるという問題があった。さらにこのとき、既に消毒したペン式注射器本体１２の先端に指が触れてしまい、再び消毒し直さなければならなくなり、煩雑な作業を繰り返すことになるという問題があった。また、使用後の針ユニット１３を取り外す際に、保護カバー１５をペン式注射器本体１２の先端部に取り付けられた針ユニット１３に装着するという細かい作業が困難であるという問題があった。
【０００５】
本発明の課題は、ペン式注射器本体の先端部に、保護カバーで外側を覆われた針ユニットを着脱する際に用いる注射針着脱治具において、ペン式注射器本体の先端部への針ユニットの着脱作業を容易にすることである。
【課題を解決するための手段】
【０００６】
以上の課題を解決するため、請求項１に記載の発明は、例えば図１，４，５に示すように、ペン式注射器本体１２の先端部に、保護カバー１５で外側を覆われた針ユニット１３を着脱する際に用いる注射針着脱治具１であって、
前記ペン式注射器本体１２がその先端部を突出させるようにして挿入される有底筒状の治具本体２と、
この治具本体２の内側に該治具本体２と同軸かつ軸方向に摺動可能に設けられ、軸方向に摺動することによって前記治具本体２より先端側に所定長さ突出可能なガイド筒５と、を有し、
前記ガイド筒５の先端部の内周面は前記保護カバー１５が摺動可能となるように形成されており、
前記ガイド筒５の先端部は、該ガイド筒５を前記治具本体２より先端側に所定長さ突出させた状態において、前記治具本体２に挿入された前記ペン式注射器本体１２の先端部を覆っていることを特徴としている。
【０００７】
請求項１に記載の発明によれば、ペン式注射器本体の先端部に保護カバーで外側を覆われた針ユニットを取り付ける際に、ペン式注射器本体をその先端部が突出するように有底筒状の治具本体内へと挿入し、ガイド筒を摺動させて治具本体より先端側に所定長さ突出させることによって、ガイド筒の先端部でペン式注射器本体の先端部を覆う。この状態で、ガイド筒の内周面に沿って針ユニットを覆う保護カバーを摺動させることによって針ユニットをペン式注射器本体の先端部に取り付けることができるとともに、この動作をペン式注射器本体の先端に指が触れることなく行うことができる。よって、保護カバーで覆われた針ユニットをペン式注射器本体の先端部に容易に取り付けることができる。
また、ペン式注射器本体から使用後の針ユニットを取り外すために針ユニットに保護カバーを装着する際に、ペン式注射器本体を治具本体に挿入し、ガイド筒を摺動させて治具本体より先端側に所定長さ突出させた状態で、ガイド筒の内周面に沿って保護カバーを摺動させることによって保護カバーを針ユニットに装着することができ、その後、針ユニットを保護カバーごとペン式注射器本体の先端部から取り外せばよい。従って、使用後の針ユニットをペン式注射器本体から容易に取り外すことができる。
【０００８】
請求項２に記載の発明は、例えば図１，４，５に示すように、請求項１に記載の注射針着脱治具１において、前記ガイド筒５の先端部には、このガイド筒５の先端部に覆われた前記ペン式注射器本体１２の先端部を目視可能とする窓７ａが形成されていることを特徴としている。
【０００９】
請求項２に記載の発明によれば、ガイド筒の先端部には窓が形成されているため、ペン式注射器本体の先端部に針ユニットを取り付ける際に、保護カバーに外側を覆われた針ユニットのペン式注射器本体の先端部への取付状況をこの窓から目視して確認することができる。よって、ペン式注射器本体の先端部に針ユニットを確実に固定することができる。
同様に、ペン式注射器本体から使用後の針ユニットを取り外すために針ユニットに保護カバーを装着する際に、保護カバーの針ユニットへの装着状況を目視して確認することができる。よって、針ユニットに保護カバーを確実に装着することができる。
【発明の効果】
【００１０】
本発明によれば、保護カバーで覆われた針ユニットをペン式注射器本体の先端部に容易に取り付けることができる。また、使用後の針ユニットをペン式注射器本体から容易に取り外すことができる。
【発明を実施するための最良の形態】
【００１１】
以下、図を参照して本発明を実施するための最良の形態を詳細に説明する。
図１は、本発明に係る注射針着脱治具１の構成を示すものであり、この注射針着脱治具１は、ペン式注射器本体１２（図６参照）の先端部に、保護カバー１５（図６参照）で外側を覆われた針ユニット１３（図６参照）を着脱する際に用いるものであって、有底筒状の治具本体２と、この治具本体２の内側に該治具本体２と同軸に設けられたガイド筒５と、を備えている。
【００１２】
なお、ここで用いるペン式注射器１１は、図６に示すように、先端部の外周面に雄ネジが形成され、インシュリン注射液が入ったカートリッジが装填されるペン式注射器本体１２と、このペン式注射器本体１２の先端部に取り付けられる針ユニット１３と、を備えている。この針ユニット１３は、両端面が傾斜した両刀針１３ａと、この両刀針１３ａの中央付近を支持するとともに、ペン式注射器本体１２先端部の雄ネジに螺合される雌ネジが内周面に形成されたスリーブ１３ｂと、から形成されている。また、使用前の針ユニット１３には、両刀針１３ａの先端側を覆う針カバー１４と、針ユニット１３の外側を覆う保護カバー１５とが取り付けられている。さらに、この保護カバー１５の基端部には、径方向外側に突出したフランジ１５ａが設けられている。
【００１３】
図１，２に示すように、治具本体２は、筒部３と、この筒部３の一端に設けられた底蓋４と、を備えている。筒部３の内径は、後述するガイド筒５の摺動部６の外径と略同じであり、筒部３の内周面を該摺動部６が摺動可能となるように形成されている。また、筒部３の基端側には該筒部３に底蓋４を固定する底蓋固定ネジ３ａが打ち込まれ、筒部３の先端側には後述するガイド筒５の摺動溝６ａに係合する摺動溝係合ネジ３ｂが打ち込まれている。
なお、筒部３は、軽量の塩化ビニル樹脂から形成することが望ましい。
【００１４】
底蓋４は、円板状の形状を有しており、その径は筒部３の外径と略同じである。底蓋４の片面には、筒部３の一方の開口部に嵌合される凸部が形成されるとともに、底蓋４にはその厚さ方向に、治具本体２内に入った埃等を抜き取るための小開口部４ａが形成されている。
なお、底蓋４は、軽量のナイロン樹脂から形成することが望ましい。
【００１５】
図１，３に示すように、ガイド筒５は、筒状の摺動部６と、この摺動部６に該摺動部６と同軸に設けられた筒状の把持部７と、を備えている。これら摺動部６及び把持部７の内径と外径とは、双方とも把持部７の方が大きいため、ガイド筒５の内周面及び外周面には摺動部６と把持部７との境界に段差が形成されている。
【００１６】
摺動部６の内径は、ペン式注射器本体１２（図６参照）の外径と略同じであり、摺動部６内にペン式注射器本体１２が挿入可能となるように形成されている。また、把持部７には、その軸方向に摺動溝６ａが形成されており、この摺動溝６ａに摺動溝係合ネジ３ｂの先端部が係合された状態で、ガイド筒５がその軸方向に摺動可能となっている。
【００１７】
把持部７の内径は、保護カバー１５（図６参照）のフランジ１５ａ（図６参照）の外径と略同じであり、把持部７の内周面を保護カバー１５（図６参照）のフランジ１５ａ（図６参照）が摺動可能となるように形成されている。また、把持部７には、その軸方向に長尺な窓７ａが形成されている。この窓７ａは、ペン式注射器本体１２（図６参照）を治具本体２に挿入してガイド筒５を軸方向に摺動させ、該ガイド筒５の先端部がペン式注射器本体２の先端部を覆った状態において、ペン式注射器本体１２（図６参照）の先端部を目視可能とするものである。さらに、把持部７の外周面には、その周方向に４つのＶ字溝７ｂが形成されている。このＶ字溝７ｂは、ガイド筒５を治具本体２に対して摺動させる際に滑り止めとなるとともに、治具本体２に対するガイド筒５の位置を手触りのみで確認できるようにするためのものである。
【００１８】
図１に示すように、ガイド筒５は、該ガイド筒５を治具本体２と離間する方向に摺動させた際に、ガイド筒５の先端部が治具本体２に挿入されたペン式注射器本体１２（図６参照）の先端部を覆う位置まで摺動するようになっている。また、ガイド筒５をその基端方向に摺動させた際に、治具本体２に挿入されたペン式注射器本体１２（図６参照）の先端部が注射針着脱治具１から突出する位置まで摺動するようになっている。
さらに、ガイド筒５は、該ガイド筒５を治具本体２と離間する方向に摺動させた際に、ペン式注射器本体１２（図６参照）の先端部に取り付けられた針ユニット１３（図６参照）の両刀針１３ａ（図６参照）を覆う位置まで摺動可能であることが望ましい。
なお、ガイド筒５は、軽量の塩化ビニル樹脂から形成することが望ましい。
【００１９】
次に、以上のように構成される注射針着脱治具１の使用方法について、図４，５を参照して説明する。
まず、ペン式注射器本体１２に保護カバー１５で外側を覆われた針ユニット１３を取り付ける取付方法について説明する。
【００２０】
初めに、図４（ａ）に示すように、ペン式注射器本体１２の先端を消毒した後に、注射針着脱治具１内にペン式注射器本体１２を挿入する。
【００２１】
次に、図４（ｂ）に示すように、ガイド筒５を軸方向に摺動させて治具本体２より先端側に所定長さ突出させるとともにペン式注射器本体１２の先端部を覆う状態とした後、針ユニット１３（図６参照）に取り付けた保護カバー１５のフランジ１５ａをガイド筒５の内周面に沿わせた状態で保護カバー１５を摺動させ、ペン式注射器本体１２の先端部に針ユニット１３（図６参照）を固定する。さらに詳しくは、ペン式注射器本体１２の先端部に針ユニット１３（図６参照）を押し付けることによって、針ユニット１３（図６参照）のスリーブ１３ｂ（図６参照）に設けられた雌ネジの端部が、ペン式注射器本体１２の先端部に設けられた雄ネジの端部に嵌合した状態となり、カチッという音がするとともにペン式注射器本体１２の先端部に針ユニット１３（図６参照）が固定される。この音がしたことを確認した後に、針ユニット１３（図６参照）がペン式注射器本体１２の先端部に固定されたかどうかを、ガイド筒５に設けられた窓７ａから目視で確認する。
【００２２】
次に、図４（ｃ）に示すように、ガイド筒５をその基端側に摺動させ、ペン式注射器本体１２と針ユニット１３（図６参照）との接続部を注射針着脱治具１から露出させ、針ユニット１３（図６参照）のスリーブ１３ｂ（図６参照）の内周面に設けられた雌ネジを、ペン式注射器本体１２の先端部の外周面に設けられた雄ネジに螺合させる。
【００２３】
そして、ペン式注射器本体１２を注射針着脱治具１から取り出すとともに、針ユニット１３から保護カバー１５を取り外し、針ユニット１３の両刀針１３ａの先端側から針カバー１４を取り外して注射を行う。
【００２４】
次に、ペン式注射器本体１２から使用後の針ユニット１３を取り外す取外し方法について説明する。
【００２５】
まず、図５（ａ）に示すように、注射針着脱治具１内に使用後のペン式注射器本体１２を挿入する。このときペン式注射器本体１２の先端部には針ユニット１３が取り付けられており、両刀針１３ａの先端側は露出している。
【００２６】
次に、図５（ｂ）に示すように、ガイド筒５を軸方向に摺動させて治具本体２より先端側に所定長さ突出させ、ペン式注射器本体１２の先端部に取り付けられた針ユニット１３（図５（ａ）参照）を覆う状態とした後、保護カバー１５のフランジ１５ａをガイド筒５の内周面に沿わせた状態で保護カバー１５を摺動させ、針ユニット１３（図５（ａ）参照）に保護カバー１５を装着する。このとき、保護カバー１５が針ユニット１３（図５（ａ）参照）の先端部に装着されたかどうかを、ガイド筒５に設けられた窓７ａから目視で確認する。
【００２７】
次に、図５（ｃ）に示すように、ガイド筒５をその基端側に摺動させ、ペン式注射器本体１２と針ユニット１３（図５（ａ）参照）との接続部を注射針着脱治具１から露出させ、保護カバー１５で覆われた針ユニット１３（図５（ａ）参照）を、ペン式注射器本体１２から取り外す方向に回転し、ペン式注射器本体１２と針ユニット１３（図５（ａ）参照）とを分離する。
【００２８】
以上の実施形態によれば、ペン式注射器本体１２の先端部に保護カバー１５で外側を覆われた針ユニット１３を取り付ける際に、ペン式注射器本体１２をその先端部が突出するように有底筒状の治具本体内２へと挿入し、ガイド筒５を摺動させて治具本体２より先端側に所定長さ突出させることによって、ガイド筒５の先端部でペン式注射器本体１２の先端部を覆う。この状態で、ガイド筒５の内周面に沿って針ユニット１３を覆う保護カバー１５を摺動させることによって針ユニット１３をペン式注射器本体１２の先端部に取り付けることができるとともに、この動作をペン式注射器本体１２の先端に指が触れることなく行うことができる。よって、保護カバー１５で覆われた針ユニット１３をペン式注射器本体１２の先端部に容易に取り付けることができる。
また、ペン式注射器本体１２から使用後の針ユニット１３を取り外すために針ユニット１３に保護カバー１５を装着する際に、ペン式注射器本体１２を治具本体２に挿入し、ガイド筒５を摺動させて治具本体２より先端側に所定長さ突出させた状態で、ガイド筒５の内周面に沿って保護カバー１５を摺動させることによって保護カバー１５を針ユニット１３に装着することができ、その後、針ユニット１３を保護カバー１５ごとペン式注射器本体１２の先端部から取り外せばよい。従って、使用後の針ユニット１３をペン式注射器本体１２から容易に取り外すことができる。
【００２９】
また、ガイド筒５の先端部には窓７ａが形成されているため、ペン式注射器本体１２の先端部に針ユニット１３を取り付ける際に、保護カバー１３に外側を覆われた針ユニット１５のペン式注射器本体１２の先端部への取付状況をこの窓から目視して確認することができる。よって、ペン式注射器本体１２の先端部に針ユニット１３を確実に固定することができる。
同様に、ペン式注射器本体１２から使用後の針ユニット１３を取り外すために針ユニット１３に保護カバー１５を装着する際に、保護カバー１５の針ユニット１３への装着状況を目視して確認することができる。よって、針ユニット１３に保護カバー１５を確実に装着することができる。
【００３０】
さらに、ペン式注射器本体１２の先端部に針ユニット１３を取り付ける際に、針ユニット１３のスリーブ１３ｂに設けられた雌ネジの端部が、ペン式注射器本体１２の先端部に設けられた雄ネジの端部に嵌合することによって発生する音が、注射器着脱治具１の内部で反響して窓７ａ及び注射針着脱治具１の開口部から集約して伝わるため、この音がよりはっきりと聞こえるようになる。
【００３１】
また、ガイド筒５の内周面には、摺動部６と把持部７との境界に段差が形成されており、把持部７よりも摺動部６の内径が小さくなっている。よって、保護カバー１５をガイド筒５の内周面に沿わせて摺動させても、保護カバー１５は摺動部６と把持部７との境界の段差より奥には摺動させることができない。従って、保護カバー１５をガイド筒５の所定の位置で停止させることができる。
【００３２】
さらに、ペン式注射器本体１２から使用後の針ユニット１３を取り外す際に、ペン式注射器本体１２を注射針着脱治具１に挿入し、ガイド筒５を治具本体２より所定長さ突出するように軸方向に摺動させると、ガイド筒５は、ペン式注射器本体１２の先端部に取り付けられた針ユニット１３の両刀針１３ａを覆う状態となる。よって、ペン式注射器本体１２の先端部に取り付けられた針ユニット１３に保護カバー１３を装着する際に、指先に針が刺さるのを防ぐことができる。
【図面の簡単な説明】
【００３３】
【図１】本発明に係る注射針着脱治具の構成を示すものであり、（ａ）はガイド筒を治具本体の基端側に摺動させた状態の斜視図、（ｂ）はガイド筒を治具本体の先端側に摺動させた状態の斜視図である。
【図２】治具本体の構成を示すものであり、（ａ）は上面図、（ｂ）は正面図である。
【図３】ガイド筒の構成を示すものであり、（ａ）は上面図、（ｂ）は正面図である。
【図４】本発明に係る注射針着脱治具を用いてペン式注射器本体の先端部に針ユニットを取り付ける取付手順を示すものであり、（ａ）は治具本体にペン式注射器本体を挿入した状態の斜視図、（ｂ）はガイド筒をその先端側に摺動させてペン式注射器本体の先端部に保護カバーで覆われた針ユニットを装着した状態の斜視図、（ｃ）はガイド筒をその基端側に摺動させた状態の斜視図である。
【図５】本発明に係る注射針着脱治具を用いてペン式注射器本体の先端部から針ユニットを取り外す取外し手順を示すものであり、（ａ）はガイド筒をその先端側に摺動させて治具本体にペン式注射器本体を挿入した状態の斜視図、（ｂ）はペン式注射器本体の先端部の針ユニットに保護カバーを取り付けた状態の斜視図、（ｃ）はガイド筒をその基端側に摺動させた状態の斜視図である。
【図６】従来のペン式注射器の構成を示す分解図である。
【符号の説明】
【００３４】
１  注射針着脱治具
２  治具本体
３  筒部
４  底蓋
５  ガイド筒
６  摺動部
７  把持部
７ａ  窓
１１  ペン式注射器
１２  ペン式注射器本体
１３  針ユニット
１４  針カバー
１５  保護カバー
【図１】
2007111301.tif 000003
【図２】
2007111301.tif 000004
【図３】
2007111301.tif 000005
【図４】
2007111301.tif 000006
【図５】
2007111301.tif 000007
【図６】
2007111301.tif 000008